(57)【要約】      （修正有）【課題】一眼レフデジタルカメラや一眼レフスチルカメラ等の撮影機器本体にリング式三脚座付きレンズを取り付け、撮影用三脚や一脚またはフラッシュを使用する際に用いる取り付け具を提供する。【解決手段】吊下げ式動被写体撮影をする場合、本器具を支持台に取り付け、自由雲台を介してレンズに三脚座がある撮影機器を吊下げるように本器具に取り付ける。フラッシュ上方設置撮影をする場合、レンズにリング式三脚座がある撮影機器を本器具に取り付ける。カメラ本体にオフカメラシューを介してフラッシュを取り付け、オフカメラシューを本器具に取り付ける。撮影構図の縦型横型をかえる際に本器具を固定しレンズを回転させることでフラッシュをレンズの上方に保つ。【選択図】図１
0003151770.tif 000002
【実用新案登録請求の範囲】
【請求項１】
「コ」の字型に組み合わせたプレートを撮影用三脚や一脚等の支持台の雲台取り付けネジに取り付け、カメラ本体にリング式三脚座付きレンズを取り付けた撮影機器のレンズの三脚座に自由雲台を介してプレートに吊下がるように撮影機器を取り付けられることを特徴とするプレート。
【請求項２】
「Ｆ」の字型に組み合わせたプレートを天地逆さにし、カメラ本体にリング式三脚座付きレンズを取り付けたところのレンズの三脚座を下段のプレートに取り付ける。カメラ本体にオフセットシューを介して取り付けたフラッシュをオフセットシューで上段のプレートに固定する。これにより撮影構図の縦型横型をかえてもプレートを固定したままレンズを回転させるだけでフラッシュをレンズの上方に保てることを特徴とするプレート。
【請求項３】
断面が「Ｔ」の字型の三脚座回転防止プレートを長Ｌ型プレートの長孔に合わせるようにはめ込み適度にスライドさせ固定することでレンズの三脚座が重み等で動き、固定ネジが緩むのを防止できることを特徴とするプレート。
【考案の詳細な説明】
【技術分野】
【０００１】本考案は一眼レフデジタルカメラや一眼レフスチルカメラ等の撮影機器本体にリング式三脚座付きレンズを取り付け、撮影用三脚や一脚またはフラッシュを使用する際に用いる取り付け具に関するものである。
【背景技術】
【０００２】動被写体の撮影においてカメラの向きをかえる可動性を得るべく撮影用三脚や一脚に自由雲台等を介して撮影機器を設置する方法が一般的である。またフラッシュを使用した撮影において常にフラッシュをレンズの上方に設置するためにはカメラ本体に重量を伴う複雑な装置を取り付ける方法が一般的である。
【考案の効果】
【０００３】動被写体の撮影において撮影用三脚や一脚等と自由雲台等とカメラ本体およびリング式三脚座付きレンズを用いる際に本考案を利用することで撮影機器を支えるための余計な力をかけ続ける必要がなく、撮影者が無理な姿勢をとることもなく、写真の構図において水平垂直を容易にとることができ、可動性を更に向上させ軽量で安価に入手できる効果がある。またフラッシュを使用した撮影においてフラッシュとオフカメラシューとカメラ本体およびリング式三脚座付きレンズを用いる際に本考案を利用することで撮影構図の縦型横型をかえてもフラッシュをレンズの上方に保つことができる効果がある。このように複数の撮影場面に対応できる効果がある。
【考案が解決しようとする課題】
【０００４】動被写体の撮影時おいて撮影用三脚や一脚に自由雲台等を取り付けた支持台にカメラ本体およびリング式三脚座付きレンズを自由雲台等に載せるように取り付けた場合、カメラの向きをかえる可動性を求めるべく自由雲台の固定ネジを緩めて撮影する。このとき重力の影響でカメラは自由雲台等を軸に倒れる力が働くため、常に手や頭部等で余計な力を加えて支え続けなければならない。支えを外せばカメラとレンズは回転するように落下し破損する恐れがある。
【０００５】水平面から上方にかけて動きのある被写体の撮影時において上方を撮影するほどカメラのファインダーは下方へ行き撮影者は無理な姿勢を強いられる。
【０００６】撮影時に自由雲台等から力の抵抗を受けるため写真の構図において水平垂直が保てなくなり、無意識のうちに撮影機器が傾いてしまう。
【０００７】また前述の取り付け方で撮影用一脚使用時においては自由雲台の固定ネジを固定してもある程度撮影に支障なく前述の障害を回避できるが、大きくパンをすると撮影者は無理な姿勢をしないと撮影機器は横と前に傾いてしまう。
【０００８】フラッシュ撮影時においてカメラ本体にリング式三脚座付きレンズおよびオフカメラシューを介してフラッシュを取り付けた場合、被写体の影が背景に大きく写り込む障害を避けるべくフラッシュをレンズの上方に固定器具を用いて設置する必要がある。しかし撮影構図の縦型横型をかえる度にその障害を受け入れるかフラッシュの固定器具を変形させてフラッシュの位置をかえなければならない。
【課題を解決するための手段】
【０００９】吊下げ式動被写体撮影用として使用する場合、本考案の器具を撮影用三脚や一脚等の支持台に取り付ける。カメラ本体にリング式三脚座付きレンズの撮影機器をレンズの三脚座から自由雲台を介して本考案の器具に撮影機器を吊下げるように取り付ける。
【００１０】フラッシュ上方設置撮影用として使用する場合、カメラ本体にリング式三脚座付きレンズの撮影機器をレンズの三脚座より本考案の器具に取り付ける。カメラ本体からオフカメラシューを介してフラッシュを取り付け、オフカメラシューを本考案の器具に取り付ける。本考案の器具およびレンズのリング式三脚座を手で固定することでレンズの上方にフラッシュを常に保持し撮影する。
【実施例】
【００１１】吊下げ式動被写体撮影を行う場合、用意する主な機器器具は本考案の長さの異なる２つのＬ型プレート、撮影用三脚や一脚等の支持台、自由雲台、カメラ本体とリング式三脚座付きレンズの撮影機器である。まず支持台の雲台取り付けネジを長Ｌ型プレートの長さの短い側に貫かれたネジ穴にプレートの外側の面からねじ込んで固定する。大型固定ネジを短Ｌ型プレートの内側の面にコルク板が貼られているプレートの面に貫かれたネジ穴にプレートの外側の面から内側の面にねじ込んで突き出す。その突き出した雄ネジを自由雲台の雌ネジへ大型固定ネジの仮止めネジを回してねじ込み仮止めをして、更に本締めネジを回して固定する。長Ｌ型プレートの長さの長い側に貫かれた２つのネジ穴にプレートの外側の面から固定ネジをねじ込んで内側の面へ突き出す。２つのＬ型プレートが「コ」の字になるよう短Ｌ型プレートの内側の面にコルク板が貼られていないプレートの面に貫かれた２つのネジ穴に長Ｌ型プレートから突き出した２つのネジをねじ込み固定する。短Ｌ型プレートに固定した自由雲台のカメラネジを撮影機器のレンズの三脚座雌ネジにねじ込み固定する。撮影開始時に支持台を正立させた状態でカメラ本体およびレンズを自由雲台より吊下げた状態でリング式三脚座リング内のレンズを回転させて撮影構図の水平垂直を調節する。【００１２】フラッシュ上方設置撮影を行う場合、用意する主な機器器具は本考案の長さの異なる２つのＬ型プレートと三脚座回転防止プレート、カメラ本体とリング式三脚座付きレンズの撮影機器、オフカメラシューおよびフラッシュである。まず撮影機器のカメラ本体にオフカメラシューを介してフラッシュを取り付ける。長Ｌ型プレートの長さの短い側に貫かれたネジ穴にプレートの外側の面から内側の面へ大型固定ネジをねじ込んで突き出す。その突き出した雄ネジを撮影機器のレンズの三脚座雌ネジに大型固定ネジの仮止めネジを回してねじ込み仮止めをする。断面が「Ｔ」の字型をした三脚座回転防止プレートの２つの突起を長Ｌ型プレートに貫かれた長孔に内側の面からはめ込むように合わせる。撮影機器のレンズの三脚座に安定良く接触するところまで三脚座回転防止プレートを長孔に沿ってスライドさせる。固定ネジを長Ｌ型プレートの外側の面から貫かれた長孔を経て三脚座回転防止プレートに貫かれたネジ穴へねじ込み固定する。撮影機器のレンズの三脚座雌ネジに仮止めしていた大型固定ネジの本締めネジを回して固定する。短Ｌ型プレートの内側の面にコルク板が貼られているプレートの面に貫かれたネジ穴にプレートの外側の面から内側の面へ固定ネジをねじ込んで突き出す。その突き出した雄ネジをオフカメラシュ−にある雌ネジにねじ込み固定する。長Ｌ型プレートの長さの長い側に貫かれた２つのネジ穴それぞれにプレートの外側の面から内側の面へ固定ネジを突き出す。取り付けたレンズ越しに長Ｌ型プレートの長さの短い側の内側の面と短Ｌ型プレートの内側にコルク板の貼られている側の外側の面が対面し「Ｆ」の字になるよう２つのＬ型プレートを合わせ、長Ｌ型プレートから突き出した２つのネジを短Ｌ型プレートの内側にコルク板の貼られていない側に貫かれた２つのネジ穴にねじ込み固定する。撮影で撮影構図の縦型横型をかえる際には長Ｌ型プレートの長さの短い側の外側の面を手で支え、フラッシュをレンズの上方に保つようにして撮影機器のレンズを回転させる。
【図面の簡単な説明】
【００１３】
【図１】本考案の吊下げ式動被写体撮影の実施例を示す立体図である。
【図２】本考案のフラッシュ上方設置撮影の実施例を示す立体図である。
【符号の説明】
【００１４】  １  カメラ本体
２  短Ｌ型プレート
３  固定ネジ
４  長Ｌ型プレート
５  長孔
６  コルク板
７  ネジ穴
８  撮影用三脚や一脚等の支持台
９  リング式三脚座付きレンズ
１０  三脚座
１１  カメラネジ
１２  自由雲台
１３  大型固定ネジ
１４  大型固定ネジの仮止めネジ
１５  大型固定ネジの本締めネジ
１６  オフセットシュー
１７  フラッシュ
１８  三脚座回転防止プレート
１９  三脚座回転防止プレート（裏側）
【図１】
0003151770.tif 000003
【図２】
0003151770.tif 000004
【手続補正書】
【提出日】平成21年4月3日(2009.4.3)
【手続補正１】
【補正対象書類名】実用新案登録請求の範囲
【補正対象項目名】全文
【補正方法】変更
【補正の内容】
【実用新案登録請求の範囲】
【請求項１】
基部と延出部とが垂直に交差する「Ｌ」字型の第１の部材と、基部と延出部とが垂直に交差する「Ｌ」字型の第２の部材と、前記第１の部材の基部に設けられた２個の第１および第２のネジ穴と、前記第２の部材の基部に設けられた２個の第３および第４のネジ穴と、前記第１のネジ穴と前記第３または第４のネジ穴に螺合する第１のネジと、前記第２のネジ穴と前記第４または第３のネジ穴に螺合する第２のネジと、前記第１の部材の前記延出部に設けられた支持台の雲台取り付けネジに螺合するためまたはレンズの三脚座を取り付けるための第５のネジ穴と、前記第５のネジ穴とレンズの三脚座に螺合するための第３のネジと、前記第２の部材の前記延出部に設けられた自由雲台等またはオフカメラシューを取り付けるための第６のネジ穴と、前記第６のネジ穴と自由雲台等またはオフカメラシューに螺合するための第４ネジを有することを特徴とするカメラ取り付け治具。
【請求項２】
第１部材と係合する第２部材は自由雲台等を介して取り付けられた撮影機器を吊下げる機能をもつ請求項１記載のカメラ取り付け治具。
【請求項３】
前記第１の部材の前記延出部に三脚座回転防止プレート等の固定補強部品を装着した請求項１記載のカメラ取り付け治具。
【手続補正２】
【補正対象書類名】明細書
【補正対象項目名】００１２
【補正方法】変更
【補正の内容】
【００１２】  フラッシュ上方設置撮影を行う場合、用意する主な機器器具は本考案の長さの異なる２つのＬ型プレートと三脚座回転防止プレート、カメラ本体とリング式三脚座付きレンズの撮影機器、オフカメラシューおよびフラッシュである。まず撮影機器のカメラ本体にオフカメラシューを介してフラッシュを取り付ける。長Ｌ型プレートの長さの短い側に貫かれたネジ穴にプレートの外側の面から内側の面へ大型固定ネジをねじ込んで突き出す。その突き出した雄ネジを撮影機器のレンズの三脚座雌ネジに大型固定ネジの仮止めネジを回してねじ込み仮止めをする。断面が「Ｔ」の字型をした三脚座回転防止プレートの２つの突起を長Ｌ型プレートに貫かれた長孔に内側の面からはめ込むように合わせる。撮影機器のレンズの三脚座に安定良く接触するところまで三脚座回転防止プレートを長孔に沿ってスライドさせる。固定ネジを長Ｌ型プレートの外側の面から貫かれた長孔を経て三脚座回転防止プレートに貫かれたネジ穴へねじ込み固定する。撮影機器のレンズの三脚座雌ネジに仮止めしていた大型固定ネジの本締めネジを回して固定する。短Ｌ型プレートの内側の面にコルク板が貼られているプレートの面に貫かれたネジ穴にプレートの外側の面から内側の面へ固定ネジをねじ込んで突き出す。その突き出した雄ネジをオフカメラシューにある雌ネジにねじ込み固定する。長Ｌ型プレートの長さの長い側に貫かれた２つのネジ穴それぞれにプレートの外側の面から内側の面へ固定ネジを突き出す。取り付けたレンズ越しに長Ｌ型プレートの長さの短い側の内側の面と短Ｌ型プレートの内側にコルク板の貼られている側の外側の面が対面し「ヒ」字型になるよう２つのＬ型プレートを合わせ、長Ｌ型プレートから突き出した２つのネジを短Ｌ型プレートの内側にコルク板の貼られていない側に貫かれた２つのネジ穴にねじ込み固定する。撮影で撮影構図の縦型横型をかえる際には長Ｌ型プレートの長さの短い側の外側の面を手で支え、フラッシュをレンズの上方に保つようにして撮影機器のレンズを回転させる。
【手続補正３】
【補正対象書類名】明細書
【補正対象項目名】００１４
【補正方法】変更
【補正の内容】
【００１４】  １  カメラ本体
２  短Ｌ型プレート
３  固定ネジ
４  長Ｌ型プレート
５  長孔
６  コルク板
７  ネジ穴
８  撮影用三脚や一脚等の支持台
９  リング式三脚座付きレンズ
１０  三脚座
１１  カメラネジ
１２  自由雲台
１３  大型固定ネジ
１４  大型固定ネジの仮止めネジ
１５  大型固定ネジの本締めネジ
１６  オフカメラシュー
１７  フラッシュ
１８  三脚座回転防止プレート
１９  三脚座回転防止プレート（裏側）